(57)【要約】【課題】異なる作業者間での作業情報の共有化が、作業者間の同意を条件として可能となる、作業情報管理装置を提供する。【解決手段】作業情報管理装置は、第１作業者に、当該第１作業者の作業領域のうち作業情報の共有化を要求する領域である第１作業領域を指定させる作業領域指定部と、第１作業領域と少なくとも一部が重なりかつ複数の作業者のうち第１作業者とは異なる作業者である第２作業者が作業を行った第２作業領域を特定する作業領域特定部と、第２作業者に第１作業者との作業情報の共有化を許可するか否かを問合せる問合せ部と、第２作業者が第１作業者との作業情報の共有化を許可した場合に、第１作業者に第２作業領域の作業情報の少なくとも一部の閲覧を許可しかつ第２作業者に第１作業領域の作業情報の少なくとも一部の閲覧を許可する共有化部とを含む。【選択図】図１
2020119025.tif 000002
【特許請求の範囲】
【請求項１】
少なくとも一部が重なる領域に対して複数の作業者が異なる期間に作業を行った作業領域に対する作業情報が作業領域毎に記憶されている作業情報記憶部を有し、前記複数の作業者に対して、原則的には自己が作業を行った作業領域に対する作業情報のみを閲覧させる機能を備えた作業情報管理装置であって、
前記複数の作業者のうち作業情報の共有化を要求したい第１作業者に、当該第１作業者の作業領域のうち作業情報の共有化を要求する領域である第１作業領域を指定させる作業領域指定部と、
前記第１作業領域と少なくとも一部が重なりかつ前記複数の作業者のうち前記第１作業者とは異なる作業者である第２作業者が作業を行った第２作業領域を特定する作業領域特定部と、
前記第２作業者に前記第１作業者との作業情報の共有化を許可するか否かを問い合わせる問合せ部と、
前記第２作業者が前記第１作業者との作業情報の共有化を許可した場合に、前記第１作業者に前記第２作業領域の作業情報の少なくとも一部の閲覧を許可しかつ前記第２作業者に前記第１作業領域の作業情報の少なくとも一部の閲覧を許可する共有化部とを含む、作業情報管理装置。
【請求項２】
前記作業領域特定部は、指定された第１作業領域と少なくとも一部が重なりかつ前記複数の作業者のうち前記第１作業者とは異なる作業者である第２作業者が複数存在する場合には、これら複数の第２作業者の各々が作業を行った複数の第２作業領域を特定するように構成されており、
前記問合せ部は、前記複数の第２作業者の各々に対して、前記第１作業者との作業情報の共有化を許可するか否かを問合せ可能に構成されており、
前記閲覧許可部は、前記複数の第２作業者のうち前記第１作業者との作業情報の共有化を許可した第２作業者に、前記第１作業領域の作業情報の少なくとも一部の閲覧を許可し、かつ前記第１作業者に当該第２作業者に対応する第２作業領域の作業情報の少なくとも一部の閲覧を許可するように構成されている、請求項１に記載の作業情報管理装置。
【請求項３】
作業情報が、作業名、作業機械、作業時の測位情報、作業領域を多角形で表すための情報、作業面積、作業開始・終了時刻および作業コストのうちの少なくとも１つを含む、請求項１または２に記載の作業情報管理装置。
【請求項４】
少なくとも一部が重なる領域に対して複数の作業者が異なる期間に作業を行った作業領域に対する作業情報が作業領域毎に記憶されている作業情報記憶部を有し、前記複数の作業者に対して、原則的には自己が作業を行った作業領域に対する作業情報のみを閲覧させる機能を備えた作業情報管理装置における作業情報共有化方法であって、
前記複数の作業者のうち作業情報の共有化を要求したい第１作業者に、当該第１作業者の作業領域のうち作業情報の共有化を要求する領域である第１作業領域を指定させる第１ステップと、
指定された第１作業領域と少なくとも一部が重なりかつ前記複数の作業者のうち前記第１作業者とは異なる作業者である第２作業者が作業を行った第２作業領域を特定する第２ステップと、
前記第２作業者に前記第１作業者との作業情報の共有化を許可するか否かを問い合わせる第３ステップと、
前記第２作業者が前記第１作業者との作業情報の共有化を許可した場合に、前記第１作業者に前記第２作業領域の作業情報の少なくとも一部の閲覧を許可しかつ前記第２作業者に前記第１作業領域の作業情報の少なくとも一部の閲覧を許可する第４ステップとを含む、作業情報共有化方法。
【請求項５】
前記第２ステップでは、指定された第１作業領域と少なくとも一部が重なりかつ前記複数の作業者のうち前記第１作業者とは異なる作業者である第２作業者が複数存在する場合には、これら複数の第２作業者の各々が作業を行った複数の第２作業領域を特定し、
前記第３ステップでは、前記複数の第２作業者の各々に対して、前記第１作業者との作業情報の共有化を許可するか否かを問い合わせ、
前記第４ステップでは、前記複数の第２作業者のうち前記第１作業者との作業情報の共有化を許可した第２作業者に、前記第１作業領域の作業情報の少なくとも一部の閲覧を許可し、かつ前記第１作業者に当該第２作業者に対応する第２作業領域の作業情報の少なくとも一部の閲覧を許可する、請求項４に記載の作業情報共有化方法。
【発明の詳細な説明】
【技術分野】
【０００１】
この発明は、作業情報管理装置および作業情報共有化方法に関する。
【背景技術】
【０００２】
特許文献１には、サーバ装置を含む栽培支援システムが開示されている。特許文献１に記載のサーバ装置は、複数のユーザの栽培開始日、栽培地域、栽培品種、生育レベル、栽培植物に関する各種計測データ等をユーザ毎に記憶している。サーバ装置は、栽培条件が類似しているユーザどうしが同じグループとなるように、ユーザを予めグループ分けする。そして、サーバ装置は、あるユーザから、例えば質問からなる投稿データを受信した場合には、当該投稿データを当該ユーザと同じグループに属する他のユーザに配信する。他のユーザからの回答は、質問者であるユーザの投稿データに対するコメントとして当該投稿データに付加される。これにより、ユーザは、栽培条件が類似している他のユーザからアドバイスを受けることができる。
【先行技術文献】
【特許文献】
【０００３】
【特許文献１】特開２０１３−１６５６８７号公報
【発明の概要】
【発明が解決しようとする課題】
【０００４】
特許文献１に記載の栽培支援システムは、個々のユーザがそれぞれ別々の圃場を有しており、ある圃場で植物を栽培しているユーザが、栽培条件が類似している他の圃場で植物を栽培している他のユーザからアドバイスを受けることができるようにするものである。したがって、あるユーザの作業情報を、他のユーザに閲覧させることを意図しているものではない。
【０００５】
ましてや、少なくとも一部が重なる領域において、異なる作業者が異なる期間において作業を行った場合に、ある作業者が作業を行った作業領域の作業情報を、他の作業者に閲覧させることを意図しているものではない。
この発明の目的は、少なくとも一部が重なる領域において異なる作業者が異なる期間において作業を行った場合に、異なる作業者間での作業情報の共有化が、作業者間の同意を条件として可能となる、作業情報管理装置および作業情報共有化方法を提供することである。
【課題を解決するための手段】
【０００６】
この発明の一実施形態に係る作業情報管理装置は、少なくとも一部が重なる領域に対して複数の作業者が異なる期間に作業を行った作業領域に対する作業情報が作業領域毎に記憶されている作業情報記憶部を有し、前記複数の作業者に対して、原則的には自己が作業を行った作業領域に対する作業情報のみを閲覧させる機能を備えた作業情報管理装置であって、前記複数の作業者のうち作業情報の共有化を要求したい第１作業者に、当該第１作業者の作業領域のうち作業情報の共有化を要求する領域である第１作業領域を指定させる作業領域指定部と、前記第１作業領域と少なくとも一部が重なりかつ前記複数の作業者のうち前記第１作業者とは異なる作業者である第２作業者が作業を行った第２作業領域を特定する作業領域特定部と、前記第２作業者に前記第１作業者との作業情報の共有化を許可するか否かを問い合わせる問合せ部と、前記第２作業者が前記第１作業者との作業情報の共有化を許可した場合に、前記第１作業者に前記第２作業領域の作業情報の少なくとも一部の閲覧を許可しかつ前記第２作業者に前記第１作業領域の作業情報の少なくとも一部の閲覧を許可する共有化部とを含む。
【０００７】
この構成では、少なくとも一部が重なる領域において異なる作業者が異なる期間において作業を行った場合に、異なる作業者間での作業情報の共有化が、作業者間の同意を条件として可能となる。
この発明の一実施形態では、前記作業領域特定部は、指定された第１作業領域と少なくとも一部が重なりかつ前記複数の作業者のうち前記第１作業者とは異なる作業者である第２作業者が複数存在する場合には、これら複数の第２作業者の各々が作業を行った複数の第２作業領域を特定するように構成されており、前記問合せ部は、前記複数の第２作業者の各々に対して、前記第１作業者との作業情報の共有化を許可するか否かを問合せ可能に構成されており、前記閲覧許可部は、前記複数の第２作業者のうち前記第１作業者との作業情報の共有化を許可した第２作業者に、前記第１作業領域の作業情報の少なくとも一部の閲覧を許可し、かつ前記第１作業者に当該第２作業者に対応する第２作業領域の作業情報の少なくとも一部の閲覧を許可するように構成されている。
【０００８】
この発明の一実施形態では、作業情報が、作業名、作業機械、作業時の測位情報、作業領域を多角形で表すための情報、作業面積、作業開始・終了時刻および作業コストのうちの少なくとも１つを含む。
この発明の一実施形態に係る作業情報共有化方法は、少なくとも一部が重なる領域に対して複数の作業者が異なる期間に作業を行った作業領域に対する作業情報が作業領域毎に記憶されている作業情報記憶部を有し、前記複数の作業者に対して、原則的には自己が作業を行った作業領域に対する作業情報のみを閲覧させる機能を備えた作業情報管理装置における作業情報共有化方法であって、前記複数の作業者のうち作業情報の共有化を要求したい第１作業者に、当該第１作業者の作業領域のうち作業情報の共有化を要求する領域である第１作業領域を指定させる第１ステップと、指定された第１作業領域と少なくとも一部が重なりかつ前記複数の作業者のうち前記第１作業者とは異なる作業者である第２作業者が作業を行った第２作業領域を特定する第２ステップと、前記第２作業者に前記第１作業者との作業情報の共有化を許可するか否かを問い合わせる第３ステップと、前記第２作業者が前記第１作業者との作業情報の共有化を許可した場合に、前記第１作業者に前記第２作業領域の作業情報の少なくとも一部の閲覧を許可しかつ前記第２作業者に前記第１作業領域の作業情報の少なくとも一部の閲覧を許可する第４ステップとを含む。
【０００９】
この方法では、少なくとも一部が重なる領域において異なる作業者が異なる期間において作業を行った場合に、異なる作業者間での作業情報の共有化が、作業者間の同意を条件として可能となる。
この発明の一実施形態では、前記第２ステップでは、指定された第１作業領域と少なくとも一部が重なりかつ前記複数の作業者のうち前記第１作業者とは異なる作業者である第２作業者が複数存在する場合には、これら複数の第２作業者の各々が作業を行った複数の第２作業領域を特定し、前記第３ステップでは、前記複数の第２作業者の各々に対して、前記第１作業者との作業情報の共有化を許可するか否かを問い合わせ、前記第４ステップでは、前記複数の第２作業者のうち前記第１作業者との作業情報の共有化を許可した第２作業者に、前記第１作業領域の作業情報の少なくとも一部の閲覧を許可し、かつ前記第１作業者に当該第２作業者に対応する第２作業領域の作業情報の少なくとも一部の閲覧を許可する。
【図面の簡単な説明】
【００１０】
【図１】図１は、この発明の一実施形態に係る作業情報管理装置が適用された作業情報管理システムの構成を示す模式図である。
【図２Ａ】図２Ａは、領域Ｅ内において、作業者Ａが第１作業を行った領域Ａ１，Ａ２を模式的に示す平面図である。
【図２Ｂ】図２Ｂは、領域Ｅ内において、作業者Ｂが第２作業を行った領域Ｂ１を模式的に示す平面図である。
【図２Ｃ】図２Ｃは、領域Ｅ内において、作業者Ｃが第３作業を行った領域Ｃ１と、作業者Ｃが第４作業を行った領域Ｃ２を模式的に示す平面図である。
【図３】図３は、領域Ａ１，Ａ２と、領域Ｂ１と、領域Ｃ１，Ｃ２との位置関係を模式的に示す平面図である。
【図４】図４は、作業情報管理テーブルの内容の一例を示す模式図である。
【図５Ａ】図５Ａは、編集・参照権限テーブルの内容の一例を示す模式図である。
【図５Ｂ】図５Ｂは、編集・参照権限テーブル内の参照権限が更新された例を示す模式図である。
【図５Ｃ】図５Ｃは、編集・参照権限テーブル内の参照権限がさらに更新された例を示す模式図である。
【図６Ａ】図６Ａは、共有化要求状態テーブルの形式例を示す模式図である。
【図６Ｂ】図６Ｂは、共有化要求状態テーブルに書き込まれた情報の一例を示す模式図である。
【図６Ｃ】図６Ｃは、共有化要求状態テーブル内の要求依頼先ＩＤが更新された例を示す模式図である。
【図６Ｄ】図６Ｄは、共有化要求状態テーブル内の要求依頼先ＩＤがさらに更新された例を示す模式図である。
【図７Ａ】図７Ａは、作業情報管理システムの動作を説明するためのシーケンス図の一部である。
【図７Ｂ】図７Ｂは、作業情報管理システムの動作を説明するためのシーケンス図の一部である。
【図８】図８は、作業者Ｂの作業者端末に表示される問合せ画面の一例を示す模式図である。
【図９】図９は、作業者Ｃの作業者端末に表示される問合せ画面の一例を示す模式図である。
【発明を実施するための形態】
【００１１】
以下では、この発明の実施形態を、添付図面を参照して詳細に説明する。
図１は、この発明の一実施形態に係る作業情報管理装置が適用された作業情報管理システム１の構成を示す模式図である。
作業情報管理システム１は、複数の作業者Ａ，Ｂ，Ｃがそれぞれ使用する複数の作業者端末２Ａ，２Ｂ，２Ｃと、作業情報管理装置としての作業情報管理サーバ（以下、「管理サーバ３」という）とを含む。各作業者端末２Ａ，２Ｂ，２Ｃは、インターネット４を介して、管理サーバ３に接続されている。
【００１２】
図２Ａ、図２Ｂおよび図２Ｃならびに図３に示すように、ある領域Ｅ内において、複数の作業者Ａ，Ｂ，Ｃが異なる期間に作業を行ったものとする。この実施形態では、作業は農作業である。
作業者Ａは、図２Ａに示すように、ある期間Ｔ１において、領域Ｅ内の作業領域Ａ１において第１作業を行うとともに、期間Ｔ２よりも遅い期間Ｔ２において、領域Ｅ内の作業領域Ａ２において第１作業を行ったものとする。第１作業は、例えば、耕耘作業である。
【００１３】
作業者Ｂは、図２Ｂに示すように、期間Ｔ２よりも遅い期間Ｔ３において、領域Ｅ内の作業領域Ｂ１において第２作業を行ったものとする。第２作業は、例えば、植付作業である。
作業者Ｃは、図２Ｃに示すように、期間Ｔ３よりも遅い期間Ｔ４において、領域Ｅ内の作業領域Ｃ１において第３作業を行うとともに、期間Ｔ４よりも遅い期間Ｔ５において、領域Ｅ内の作業領域Ｃ２において第４作業を行ったものとする。第３作業は、例えば、施肥作業である。第４作業は、例えば、収穫作業である。
【００１４】
図３に示すように、作業領域Ａ２と、作業領域Ｂ１と、作業領域Ｃ１と、作業領域Ｃ２とは、一部の領域が重複している。また、作業領域Ａ１と、作業領域Ｃ１とは、一部の領域が重複している。
図１に戻り、各作業者端末２Ａ，２Ｂ，２Ｃは、パーソナルコンピュータ（ＰＣ）からなり、制御装置（ＰＣ本体）２１と、ディスプレイ２２と、マウス、キーホード等の操作機器２３とを含む。制御装置２１は、ＣＰＵ、メモリ、ハードディスク等を含む。ハードディスクには、ＯＳ（オペレーションプログラム）の他、Ｗｅｂページを閲覧するためのブラウザ（browser）等のプログラム、その他必要なデータが格納される。
【００１５】
管理サーバ３は、各作業者Ａ，Ｂ，Ｃの作業情報を管理したり、各作業者Ａ，Ｂ，Ｃに作業情報を閲覧させたりするためのサーバである。管理サーバ３は、Ｗｅｂページを作業者端末２Ａ，２Ｂ，２Ｃに提供する。管理サーバ３は、パーソナルコンピュータ（ＰＣ）からなり、制御装置（ＰＣ本体）３１と、ディスプレイ３２と、マウス、キーホード等の操作機器３３とを含む。制御装置３１は、ＣＰＵ３１Ａ、メモリ３１Ｂ、ハードディスク３１Ｃ等を含む。
【００１６】
ハードディスク３１Ｃ内には、作業情報管理テーブル４１と、編集・参照権限テーブル４２と、共有化要求状態テーブル４３等が格納されている。
図４は、作業情報管理テーブル４１の内容の一例を示す模式図である。
作業情報管理テーブル４１には、作業が行われた作業領域毎（作業期間毎）に、作業者ＩＤ、作業者名、作業領域ＩＤ、作業名、作業機械、作業時の測位情報、ポリゴン、作業面積、作業開始・終了時刻および作業コストが記憶される。これらの情報のうち、作業名、作業機械、作業時の測位情報、ポリゴン、作業面積、作業開始・終了時刻および作業コストが作業情報である。
【００１７】
「作業者ＩＤ」は、予め登録されている作業者のＩＤである。ここでは、作業者Ａ、作業者Ｂおよび作業者Ｃの作業者ＩＤを、それぞれＡ、ＢおよびＣとして示している。
「作業者名」は、作業者の名前である。以下においては、説明の便宜上、作業者Ａ、作業者Ｂおよび作業者Ｃの作業者名を、それぞれＡ、ＢおよびＣということにする。
「作業領域ＩＤ」は、当該作業領域を特定するめのＩＤであり、作業が行われた作業領域毎に付与される。ここでは、図２Ａ〜図２Ｃに示される、作業領域Ａ１、作業領域Ａ２、作業領域Ｂ１、作業領域Ｃ１および作業領域Ｃ２の作業領域ＩＤを、それぞれＡ１、Ａ２、Ｂ１、Ｃ１およびＣ２として示している。
【００１８】
「作業名」は、耕耘、植付、施肥、収穫等の作業の名称である。「作業機械」は、作業車両の名称または作業車両に連結された作業機の名称である。
「作業時の測位情報」は、作業時に測位衛星を利用して測位された作業車両の位置情報である。位置情報は、緯度、経度および高度の情報と、それらが測定された時刻の情報とからなる。
【００１９】
「ポリゴン」は、作業領域を多角形で表すための情報であり、例えば、作業領域の輪郭上の複数の特徴点の情報からなる。
「作業面積」は、作業領域の面積である。
「作業開始・終了時刻」は、作業の開始時刻と作業の終了時刻とからなる。
「作業コスト」は、作業に要した費用である。
【００２０】
各作業者Ａ，Ｂ，Ｃは、それぞれ作業者端末２Ａ，２Ｂ，２Ｃを操作して、管理サーバ３が提供するホームページを開き、ログイン操作を行うことにより、自己専用のＷｅｂページを取得することが可能である。そして、各作業者Ａ，Ｂ，Ｃは、自己専用のＷｅｂページ上で自己が行った作業に関する作業情報の閲覧および編集を行うことができる。
また、この実施形態では、各作業者Ａ，Ｂ，Ｃは、自己専用のＷｅｂページ上で、作業情報を他の作業者と共有化するための共有化要求を行うことができる。さらに、各作業者Ａ，Ｂ，Ｃは、自己専用のＷｅｂページ上で、他者からの共有化要求を許可したり、拒否したりすることができる。
【００２１】
図５Ａは、編集・参照権限テーブル４２の内容の一例を示す模式図である。
編集・参照権限テーブル４２には、作業領域ＩＤ毎に、編集権限を有する作業者の作業者ＩＤと、参照権限を有する作業者の作業者ＩＤとが記憶される。図５Ａの例では、作業領域ＩＤとして、前述したＡ１、Ａ２、Ｂ１、Ｃ１およびＣ２がある。
編集権限とは、作業情報を閲覧したり、編集したりすることができる権限をいう。この実施形態では、ある作業領域に対する編集権限は、当該作業領域を作業した作業者のみに与えられる。したがって、図５Ａに示すように、作業領域Ａ１およびＡ２に対しては作業者Ａが編集権限を有し、作業領域Ｂ１に対しては作業者Ｂが編集権限を有し、作業領域Ｃ１およびＣ２に対しては作業者Ｃが編集権限を有する。
【００２２】
参照権限とは、作業情報の編集はできないが、閲覧を行うことができる権限をいう。後述するように、参照権限は、ある第１作業者からの共有化要求が他の第２作業者によって許可された場合に、第１作業者および第２作業者に、当該共有化要求に関連した相手方の作業領域に対して与えられる。
図５Ａの例は、共有化要求が全く行われていない状態を示している。このため、作業領域Ａ１，Ａ２，Ｂ１，Ｃ１，Ｃ２のいずれに対しても、参照権限は与えられていない。
【００２３】
図６Ａは、共有化要求状態テーブル４３の形式例を示す模式図である。
共有化要求状態テーブル４３には、ある作業者からの共有化要求コマンドを管理サーバ３が受信したときに、共有化対象領域のＩＤと、要求依頼元のＩＤと、要求依頼先のＩＤと、要求依頼日と、要求有効期限とが管理サーバ３によって記憶される。ある作業者が共有化要求を行う場合には、自己が作業を行った作業領域のうち、作業情報を共有化したい作業領域を指定する。この指定された作業領域が共有化対象領域である。
【００２４】
「要求依頼元」は、共有化要求を行った作業者である。
「要求依頼先」は、共有化要求が依頼される作業者である。より具体的には、「要求依頼先」は、要求依頼元以外の作業者のうち、「共有化対象領域」と少なくとも一部が重複する領域を作業した作業者である。「要求依頼先」は、管理サーバ３によって特定される。
【００２５】
「要求依頼日」は、共有化要求を受信した日時である。
「要求有効期限」は、管理サーバ３が「要求依頼先」に対して、当該共有化要求を許可するか拒否するかの問合せを行うことが可能な期限を示す年月日である。「要求有効期限」に、時刻を含めてもよい。
図１に戻り、ＣＰＵ３１Ａは、機能処理部として、作業領域指定部５１と、作業領域特定部５２と、問合せ部５３と、共有化部５４とを含む。
【００２６】
作業領域指定部５１は、複数の作業者Ａ，Ｂ，Ｃのうち作業情報の共有化を要求したい第１作業者に、第１作業者の作業領域のうち作業情報の共有化を要求する領域である第１作業領域（共有化対象領域）を指定させる。
作業領域特定部５２は、指定された第１作業領域と少なくとも一部が重なりかつ複数の作業者のうち第１作業者とは異なる作業者である第２作業者が作業を行った第２作業領域を特定する。
【００２７】
問合せ部５３は、第２作業者に第１作業者との作業情報の共有化を許可するか否かを問い合わせる。
共有化部５４は、第２作業者が第１作業者との作業情報の共有化を許可した場合に、第１作業者に第２作業領域の作業情報の少なくとも一部の閲覧を許可しかつ第２作業者に第１作業領域の作業情報の少なくとも一部の閲覧を許可する。
【００２８】
図７Ａおよび図７Ｂは、作業情報管理システム１の動作を説明するためのシーケンス図である。
ここでは、作業者Ａが作業領域Ａ２を共有化対象領域として指定して共有化要求を行った場合の作業情報管理システム１の動作について説明する。
図示はしていないが、作業者Ａは、作業者端末２Ａを操作して、管理サーバ３が提供するホームページを開き、ログイン操作を行う。これにより、管理サーバ３（管理サーバ３の作業領域指定部５１）は、作業者Ａ専用のＷｅｂページを作業者端末２Ａに送信するので、作業者Ａ専用のＷｅｂページが作業者端末２Ａのディスプレイ２２に表示される。
【００２９】
作業者Ａは、この専用Ｗｅｂページ上で、作業領域Ａ２を共有化対象領域として指定して共有化要求を行う。これにより、図７Ａに示すように、作業者端末２Ａから管理サーバ３に、作業領域Ａ２の作業領域ＩＤを含む共有化要求コマンドが送信される（ステップＳ１）。
管理サーバ３（管理サーバ３の作業領域特定部５２）は、この共有化要求コマンドを受信すると、共有化要求状態テーブル４３へのデータ書込処理を行う（ステップＳ２）。
【００３０】
具体的には、管理サーバ３は、まず、要求依頼元以外の作業者のうち、共有化対象領域と少なくとも一部が重複する領域を参照領域として特定するとともに、参照領域を作業した作業者を特定する。この例では、要求依頼元は作業者Ａであり、共有化対象領域はＡ２であるので、管理サーバ３は、参照領域として、領域Ａ２と少なくとも一部が重複する作業領域Ｂ１、Ｃ１およびＣ２を特定する。また、管理サーバ３は、参照領域Ｂ１を作業した作業者として作業者Ｂを特定し、参照領域Ｃ１およびＣ２を作業した作業者として作業者Ｃを特定する。
【００３１】
そして、管理サーバ３は、図６Ｂに示すように、共有化要求状態テーブル４３に、共有化対象領域のＩＤ（この例ではＡ２）と、要求依頼元のＩＤ（この例ではＡ）と、要求依頼先のＩＤ（この例ではＢ，Ｃ）と、要求依頼日と、要求有効期限とを記憶する。
この後において、作業者Ｂが、作業者端末２Ｂを操作して、管理サーバ３が提供するホームページを開いた後、ログイン操作を行った場合には（ステップＳ３）、管理サーバ３は、共有化要求状態テーブル４３に作業者Ｂが要求依頼先として登録されているか否かを判定する（ステップＳ４）。
【００３２】
この例では、図６Ｂに示すように、共有化要求状態テーブル４３に作業者Ｂが要求依頼先として登録されている。したがって、ステップＳ４において肯定判定されるので（ステップＳ４：ＹＥＳ）、管理サーバ３（管理サーバ３の問合せ部５３）は、作業者Ｂに要求依頼元の作業者Ａとの作業情報の共有化を許可するか否を問い合わせるための問合せＷｅｂページを作成して送信する（ステップＳ５）。
【００３３】
なお、図示しないが、共有化要求状態テーブル４３に作業者Ｂが要求依頼先として登録されていない場合には（ステップＳ４：ＮＯ）、管理サーバ３は、通常の作業者Ｂ専用のＷｅｂページを作成して作業者端末２Ｂに送信する。
作業者端末２Ｂは、問合せＷｅｂページを受信すると、問合せ画面を表示する（ステップＳ６）。作業者端末２Ｂに表示される問合せ画面１０１の一例を図８に示す。問合せ画面１０１には、共有化対象領域である作業領域Ａ２と、作業者Ｂが作業した作業領域Ｂ１とが重なり合った状態で表示される。また、問合せ画面１０１には、要求依頼元である作業者Ａから共有依頼があったことを示すメッセージと、共有依頼を許可するか拒否するかを選択するためのＯＫボタン１０２およびＮＯボタン１０３と、送信ボタン１０４とが表示される。共有依頼を許可する場合にはＯＫボタン１０２が選択され、共有依頼を拒否する場合にはＮＯボタン１０３が選択される。
【００３４】
作業者Ｂは、ＯＫボタン１０２およびＮＯボタン１０３のうち一方を選択した後、送信ボタン１０４を押す。送信ボタン１０４が押されると（ステップＳ７）、許可・拒否の選択結果が、管理サーバ３に送信される（ステップＳ８）。
管理サーバ３は、作業者端末２Ｂからの許可・拒否の選択結果を受信すると、選択結果に応じて、テーブル更新処理を行う（ステップＳ９）。
【００３５】
ここでは、選択結果が許可であったとする。この場合には、図５Ｂに示すように、管理サーバ３（管理サーバ３の共有化部５４）は、編集・参照権限テーブル４２内の作業領域Ａ２に対応する参照権限の項目に、作業者ＢのＩＤを書き込むとともに、作業領域Ｂ１に対応する参照権限の項目に、作業者ＡのＩＤを書き込む。また、管理サーバ３は、図６Ｂの共有化要求状態テーブル４３の作業領域Ａ２に対する要求依頼先のＩＤから、Ｂを削除する。この結果、共有化要求状態テーブル４３の内容は、図６Ｃのように変化する。
【００３６】
これにより、作業者Ａに作業領域Ｂ１の作業情報の閲覧権限が与えられると同時に、作業者Ｂに作業領域Ａ２の作業情報の閲覧権限が与えられる。
管理サーバ３は、更新後の編集・参照権限テーブル４２の内容（更新後の参照権限）を反映した作業者Ｂ専用のＷｅｂページを作業者端末に送信する（ステップＳ１０）。これにより、作業者Ｂは、作業者Ｂ専用のＷｅｂページ上で、作業領域Ａ２の作業情報の閲覧が可能となる。
【００３７】
また、管理サーバ３は、作業者Ａに対して作業者Ａ専用のＷｅｂページを送信する際には、更新後の編集・参照権限テーブル４２の内容（更新後の参照権限）を反映した作業者Ａ専用のＷｅｂページを作業者端末に送信する。これにより、作業者Ａは、作業者Ａ専用のＷｅｂページ上で、作業領域Ｂ１の作業情報の閲覧が可能となる。
なお、選択結果が拒否であった場合には、管理サーバ３は、編集・参照権限テーブル４２の内容を更新することなく、図６Ｂの共有化要求状態テーブル４３の作業領域Ａ２に対する要求依頼先のＩＤから、Ｂを削除する。
【００３８】
また、図７Ｂに示すように、この後において、作業者Ｃが、作業者端末２Ｃを操作して、管理サーバ３が提供するホームページを開いた後、ログイン操作を行った場合には（ステップＳ１１）、管理サーバ３は、共有化要求状態テーブル４３に作業者Ｃが要求依頼先として登録されているか否かを判定する（ステップＳ１２）。
この例では、図６Ｃに示すように、共有化要求状態テーブル４３に作業者Ｃが要求依頼先として登録されている。したがって、ステップＳ１２において肯定判定されるので（ステップＳ１２：ＹＥＳ）、管理サーバ３（管理サーバ３の問合せ部５３）は、作業者Ｃに要求依頼元の作業者Ａとの作業情報の共有化を許可するか否を問い合わせるための問合せＷｅｂページを作成して送信する（ステップＳ１３）。
【００３９】
なお、図示しないが、共有化要求状態テーブル４３に作業者Ｃが要求依頼先として登録されていない場合には（ステップＳ１２：ＮＯ）、管理サーバ３は、通常の作業者Ｃ専用のＷｅｂページを作成して作業者端末２Ｃに送信する。
作業者端末２Ｃは、問合せＷｅｂページを受信すると、問合せ画面を表示する（ステップＳ１４）。作業者端末２Ｃに表示される問合せ画面１１１の一例を図９に示す。
【００４０】
問合せ画面１１１には、共有化対象領域である作業領域Ａ２と、作業者Ｃが作業した作業領域Ｃ１およびＣ２とが重なり合った状態で表示される。また、問合せ画面１１１には、作業領域Ｃ１に対して、要求依頼元である作業者Ａから共有依頼があったことを示すメッセージと、共有依頼を許可するか拒否するかを選択するためのＯＫボタン１１２およびＮＯボタン１１３とが表示される。また、問合せ画面１１１には、作業領域Ｃ２に対して、要求依頼元である作業者Ａから共有依頼があったことを示すメッセージと、共有依頼を許可するか拒否するかを選択するためのＯＫボタン１１５およびＮＯボタン１１６とが表示される。さらに、問合せ画面１１１には、送信ボタン１１７が表示される。
【００４１】
作業者Ｃは、作業領域Ｃ１に対して、ＯＫボタン１１２およびＮＯボタン１１３のうち一方を選択する。また、作業者Ｃは、作業領域Ｃ２に対して、ＯＫボタン１１５およびＮＯボタン１１６のうち一方を選択する。この後、作業者Ｃは、送信ボタン１１７を押す。送信ボタン１１７が押されると（ステップＳ１５）、作業領域Ｃ１に対する許可・拒否の選択結果と、作業領域Ｃ２に対する許可・拒否の選択結果が、管理サーバ３に送信される（ステップＳ１６）。
【００４２】
管理サーバ３は、作業者端末２Ｃからの許可・拒否の選択結果を受信すると、選択結果に応じて、テーブル更新処理を行う（ステップＳ１７）。
ここでは、作業領域Ｃ１に対する選択結果が拒否であり、作業領域Ｃ２に対する選択結果が許可であったとする。この場合には、図５Ｃに示すように、管理サーバ３（管理サーバ３の共有化部５４）は、編集・参照権限テーブル４２内の作業領域Ａ２に対応する参照権限の項目に、作業者ＣのＩＤを書き込むとともに、作業領域Ｃ２に対応する参照権限の項目に、作業者ＡのＩＤを書き込む。また、管理サーバ３は、図６Ｃの共有化要求状態テーブル４３の作業領域Ａ２に対する要求依頼先のＩＤから、Ｃを削除する。この結果、共有化要求状態テーブル４３の内容は、図６Ｄのように変化する。
【００４３】
これにより、作業者Ａに作業領域Ｃ２の作業情報の閲覧権限が与えられると同時に、作業者Ｃに作業領域Ａ２の作業情報の閲覧権限が与えられる。
管理サーバ３は、更新後の編集・参照権限テーブル４２の内容（更新後の参照権限）を反映した作業者Ｃ専用のＷｅｂページを作業者端末に送信する（ステップＳ１８）。これにより、作業者Ｃは、作業者Ｃ専用のＷｅｂページ上で、作業領域Ａ２の作業情報の閲覧が可能となる。
【００４４】
また、管理サーバ３は、作業者Ａに対して作業者Ａ専用のＷｅｂページを送信する際には、更新後の編集・参照権限テーブル４２の内容（更新後の参照権限）を反映した作業者Ａ専用のＷｅｂページを作業者端末に送信する。これにより、作業者Ａは、作業者Ａ専用のＷｅｂページ上で、作業領域Ｂ１およびＣ２の作業情報の閲覧が可能となる。
なお、作業領域Ｃ１に対する選択結果および作業領域Ｃ２に対する選択結果が共に許可であった場合には、管理サーバ３は、編集・参照権限テーブル４２内の作業領域Ａ２に対応する参照権限の項目に、作業者ＣのＩＤを書き込むとともに、作業領域Ｃ１およびＣ２に対応する参照権限の項目に、作業者ＡのＩＤを書き込む。また、管理サーバ３は、図６Ｃの共有化要求状態テーブル４３の作業領域Ａ２に対する要求依頼先のＩＤから、Ｃを削除する。
【００４５】
なお、作業領域Ｃ１に対する選択結果および作業領域Ｃ２に対する選択結果が共に拒否であった場合には、管理サーバ３は、編集・参照権限テーブル４２の内容を更新することなく、図６Ｃの共有化要求状態テーブル４３の作業領域Ａ２に対する要求依頼先のＩＤから、Ｃを削除する。
ステップＳ２で作成された共有化要求状態テーブル４３のデータは、その後の更新の有無にかかわらず、有効期限が切れた時点で削除される。
【００４６】
前述の実施形態によれば、少なくとも一部が重なる領域において異なる作業者が異なる期間において作業を行った場合に、異なる作業者間での作業情報の共有化が、作業者間の同意を条件として可能となる。これにより、作業者は、自己が作業を行った作業領域と少なくとも一部が重なる領域において、他の作業者がどのような作業を行ったかを知ることが可能となる。
【００４７】
以上、この発明の実施形態について説明したが、この発明はさらに他の形態で実施することもできる。例えば、前述の実施形態では、作業情報は、作業名、作業機械、作業時の測位情報、ポリゴン、作業面積、作業開始・終了時刻および作業コストからなるが、これらは一例であって、これらに限られない。
また、前述の実施形態では、ある作業領域に対して参照権限が与えられた作業者は、その作業領域の作業情報の全てを閲覧可能であった。しかし、ある作業領域に対して参照権限が与えられた作業者に対して、作業領域の作業情報の一部のみ閲覧可能とするようにしてもよい。つまり、参照権限によって閲覧が可能となる作業情報に制限をかけてもよい。
【００４８】
このような閲覧可能な作業情報への制限は、管理サーバ３側で設定してもよい。また、このような閲覧可能な作業情報への制限は、ある作業者が作業情報の共有化を要求する際に、当該作業者が設定するようにしてもよい。この場合には、共有化要求毎に共有化要求元の作業者が制限内容を設定することが可能となる。
また、前述の実施形態では、各作業者端末２Ａ，２Ｂ，２Ｃは、パーソナルコンピュータ（ＰＣ）から構成されているが、各作業者端末２Ａ，２Ｂ，２Ｃは、スマートフォンから構成されていてもよい。
【００４９】
その他、特許請求の範囲に記載された事項の範囲で種々の設計変更を施すことが可能である。
【符号の説明】
【００５０】
１  作業情報管理システム
２Ａ，２Ｂ，２Ｃ  作業者端末
３  管理サーバ
４  インターネット
２１  制御装置
２２  ディスプレイ
２３  操作機器
３１  制御装置
３１Ａ  ＣＰＵ
３１Ｂ  メモリ
３１Ｃ  ハードディスク
３２  ディスプレイ
３３  操作機器
４１  作業情報管理テーブル
４２  編集・参照権限テーブル
４３  共有化要求状態テーブル
５１  作業領域指定部
５２  作業領域特定部
５３  問合せ部
５４  共有化部
【図１】
2020119025.tif 000003
【図２Ａ】
2020119025.tif 000004
【図２Ｂ】
2020119025.tif 000005
【図２Ｃ】
2020119025.tif 000006
【図３】
2020119025.tif 000007
【図４】
2020119025.tif 000008
【図５Ａ】
2020119025.tif 000009
【図５Ｂ】
2020119025.tif 000010
【図５Ｃ】
2020119025.tif 000011
【図６Ａ】
2020119025.tif 000012
【図６Ｂ】
2020119025.tif 000013
【図６Ｃ】
2020119025.tif 000014
【図６Ｄ】
2020119025.tif 000015
【図７Ａ】
2020119025.tif 000016
【図７Ｂ】
2020119025.tif 000017
【図８】
2020119025.tif 000018
【図９】
2020119025.tif 000019